(57)【要約】【課題】氷が長持ちし、できるだけ長く低温を保持できる発泡樹脂製の保冷箱を提供する。【解決手段】発泡樹脂製の保冷箱において、箱の内側底部に、底部中央に向かって集まる幅１〜２ｃｍの溝を数条持ち、それら溝は箱の底部の中心の周りを一巡している環状の溝に繋がっており、環状の溝に囲まれている直径５ｃｍ程の中心部は箱の底の裏側から直径１５ｍｍ程、高さ１５ｍｍ程の穴が開けてあり、箱の底部の中心部の上部周辺から３〜４箇所穴を開けて底の裏側から開けてある穴と連通させて、箱の底に溜まる水を抜く水抜き穴として作用させる、また箱の裏底には水抜き穴から周辺に向かって幅２ｃｍ程、深さ２ｍｍ程の逆溝を掘っておく。【選択図】図２
0003126190.tif 000002
【実用新案登録請求の範囲】
【請求項１】
発泡樹脂製の縦約３０ｃｍ、横約５０ｃｍ、高さ約２０ｃｍ、材料の厚さ２５ｍｍ程の保冷箱において、箱の内側底部に、底部周辺から底部中央に向かって集まる幅１〜２ｃｍ、深さ５ｍｍ程の数本の溝を持ち、それら溝は箱の底部の中心の周りを一巡している環状の溝に繋がっており、環状の溝に囲まれている直径５ｃｍ程の中心部は箱の底部と同じ高さで、溝底部から見ると盛り上がっており、またその中心部は箱の底の裏側から直径１５ｍｍ程、高さ１５ｍｍ程の穴が開けてあり、箱の底部の中心部の盛り上がりの上部周辺から３〜４箇所穴を開けて、底の裏側から開けてある穴と連通させて、箱の底に溜まる水を抜く水抜き穴として作用させることを特徴とする保冷箱。
【請求項２】
箱の裏底には水抜き穴から周辺に向かって幅２ｃｍ程、深さ２ｍｍ程の逆溝が掘ってあることを特徴とする請求項１記載の保冷箱。
【請求項３】
箱の底部に掘ってある溝は、溝の深さが底部中央に近くなるに従って深くなるように水勾配が取ってありことを特徴とする請求項１記載の保冷箱。
【考案の詳細な説明】
【技術分野】
【０００１】  氷を入れて使用する発泡樹脂製の魚箱等の保冷箱に関する。
【背景技術】
【０００２】  発泡ポリスチレン等の発泡樹脂製の保冷箱は安価、軽量で保冷性に優れているため、魚介類の運搬用、保管用に多く用いられている。【０００３】  容器の中に氷を一緒に入れ、嵌合する蓋をして０℃近くの低温を保つようにして使用する場合が多い。【０００４】  しかし氷が溶けて、できた水が底に溜まったままで魚体に接触すると、魚体が白くなり商品価値が下がってしまうので、水は速やかに外に排出する事が望ましい。【０００５】  その水を排出するため、通常、箱の４隅に排水口を設けてあるが、排水口の出口は箱側面、あるいは底面に抜いてある。４隅に設けるのは箱が傾いても、あるいはどれかの穴が詰まっても、機能が損なわれないようにとの配慮からである。【０００６】  然るに、穴が４箇所も箱周辺にあるために、外気が進入し易く、低温が保ち難く、氷が早く溶けてしまう欠点があった。【０００７】  その欠点を補うため排水口を箱底部中央に１個のみ設ける試みはあったが、ドリップ、ごみ等により、あるいは魚体が穴の真上に来て、穴が塞がると排水できなくなったりした。箱の底に紙、ポリエチレンシート等を敷いて使用する場合も同様、排水口が塞がってしまう事があった。【０００８】  また機密性を重視して中央排水口を筒状に立ち上げ、その筒に被せることのできるキャップを被冠して水封構造とした容器も考案されているが（実新第３０３０９０９号）、その部分のみ完璧な機密性を保っても、発泡樹脂製容器の材料、箱の蓋の構造から見て、他の部分の完全な機密は期待できず、総体的には無意味であり、かつ排水されるためには、中央に立ち上げた筒状の排水口の上端を越える水位になる必要があった。更にこの箱を製造するには箱体の他にキャップを作って組み合わせなければならず、製造工程に余計な手間がかかることになる。
【考案の開示】
【考案が解決しようとする課題】
【０００９】  氷が長持ちし、できるだけ長く低温を保持できる発泡樹脂製の保冷箱を提供する。【００１０】  水抜きのために設けた排水口が詰まることなく水が抜けるような構造に、かつ空気の出入りを、ある程度制限できるような構造にする必要がある。【００１１】  実際に使用する場合、蓋をした箱は積み重ねて保管、運搬するので、箱の裏底と蓋の上部が密着しないような工夫をする必要がある。
【課題を解決するための手段】
【００１２】  本考案は上記の問題に鑑みてなされたものであり、発泡樹脂製の箱の内側底部には、底部周辺から底部中央に集中する排水用溝を数条設ける。底に溜まる水が中央に向かって流れるように、溝底部の深さは中央に向かっていくに従ってだんだん深くし、つまり溝底部に水勾配を取っておくのも良い。【００１３】  それら溝は箱の底部の中心の周りを一巡している環状の溝に繋がっており、環状の溝に囲まれている直径５ｃｍ程の中心部は箱の底部と同じ高さで、溝底部から見ると盛り上がっている。【００１４】  またその中心部は箱の底の裏側から直径１５ｍｍ程、高さ１５ｍｍ程の穴が開けてあり、箱の底部の中心部の盛り上がりの上部周囲から３〜４箇所穴を開けて箱の底の裏側から開けてある穴と連通させておく。【００１５】  箱の底部中央に真っ直ぐな穴を貫通させない理由は、空気の自由な出入りを妨げるためであり、また中心の盛り上がりの周囲から通す穴の数を複数にしたのは、穴詰まりのリスクを軽減するためである。【００１６】  また箱の裏底は箱を床に直に置いたり、箱同志を積み重ねた時に、箱の底面が床や箱の蓋表面に密着して、流出水の流れを妨げることのないよう、穴から周辺に向かって幅２ｃｍ程度、深さ１〜３ｍｍの逆溝が掘ってある。
【考案の効果】
【００１７】  本考案は以上のような構成で、保冷箱に商品と氷を入れ、蓋をした場合、箱壁を通って侵入してくる熱により、徐々に氷が溶けて、できた水は、箱の底に達し、溝を通って中央の穴まで流れて、穴から箱の裏底へと排出されるので、商品が水に漬かることは無い。かつ排水口が中央一箇所のみで空気の出入が少ないので氷が長持ちする
【考案を実施するための最良の形態】
【００１８】  発泡樹脂製の箱の底部には箱の底周辺から中心に向かって集中するように、排水のための溝を掘り、それら溝は底の中心の周りを一巡している環状の溝に繋がっており、環状の溝に囲まれている直径５ｃｍ程の中心部は箱の底部と同じ高さで、溝底部から見ると盛り上がっている。またその中心部は箱の底の裏側から貫通しない穴が開けてあり、箱の底部の中心部の盛り上がりの周囲から３〜４箇所穴を開けて、底の裏側から開けてある穴と連通させておく。【００１９】  また箱の裏底は床あるいは箱同志積み重ねたとき、密着して排水口が塞がれることの無いよう穴は床から少し浮くように箱の裏面には排水が通れるよう逆溝が付けてある。
【実施例】
【００２０】  本考案の発泡樹脂製の保冷箱の実施例を図面に基づいて説明する。図１は発泡スチロール製の保冷箱の蓋を取った全体を示す斜視図であり、縦、横、高さ３０ｘ５０ｘ２０ｃｍ程、材料の厚み約２５ｍｍの箱の底部１には中央の排水口２に向かって集中する排水溝３が掘ってある。溝の幅は約２ｃｍで深さ約５ｍｍ。【００２１】  図２は中央の穴部分のみを分かり易く示した部分拡大図で排水溝３が中央部の環状の溝４に繋がっている。環状の溝に囲まれている直径５ｃｍ程の中心部５の高さは箱の底部１と同じ高さである。【００２２】  図３は図２のＡ−Ａ’を含む垂直面で切断した部分断面図である。その中心部には箱の底の裏側から直径１５ｍｍ程、高さ１５ｍｍ程の中心穴６が開けてあり、底の表側の中心部の盛り上がりの周囲から３〜４箇所導入穴７が開けてあり、導入穴７は中心穴６と連通口８を介して連通している。【００２３】  図４は保冷箱をひっくり返して裏底を示した斜視図で、底が床などに密着してしまわないよう箱の底を部分的に２〜３ｍｍ高くし、保冷箱を正常に置いたとき、中心穴６が床に密着しないようにしてある。床に置いたとき、中心穴６の周りの隙間９は箱の外まで導いてある。【００２４】  実際にこの箱の性能を評価するために、従来の四つ穴保冷箱と本考案の一つ穴保冷箱に同じ量の氷と商品（蟹）を入れたものを用意し、温度センサーを取り付け、比較試験を行った。砕氷３ｋｇ、商品３ｋｇを入れ倉庫内に放置した。倉庫内は８℃から１７℃と２４時間周期で温度変化した。両方の箱共、内部温度はほぼ２℃で推移したが、四つ穴の箱は開始後２６時間を過ぎたあたりから温度が上昇しはじめたのに対し、一つ穴の箱は開始後４５時間を過ぎたあたりで初めて温度上昇し始めた。
【産業上の利用可能性】
【００２５】  以上説明したように、本考案の保冷箱によれば、従来の四つ穴保冷箱と比べて価格的に同じであるにも拘らず、商品が水漬けにならず、より長時間保冷効果を持続できるので商品の輸送、保管がより楽になる。またこの構造の箱は、キャップのような付属品を必要とせず、一体成形で製造可能である。
【図面の簡単な説明】
【００２６】
【図１】  本考案の保冷箱の蓋を取った状態を示す斜視図。
【図２】  中央の排水口部分を示す部分拡大斜視図。
【図３】  図２のＡ−Ａ’断面図。
【図４】  保冷箱の裏底を示した斜視図。
【符号の説明】
【００２７】１  箱の底部，  ２  排水口，  ３  排水溝，  ４  環状の溝，  ５  中心部，  ６  中心穴，  ７  導入穴，  ８  連通口，  ９  隙間。
【図１】
0003126190.tif 000003
【図２】
0003126190.tif 000004
【図３】
0003126190.tif 000005
【図４】
0003126190.tif 000006